(57)【要約】【目的】靴下の乾きを良くすること，靴下を簡単に開き干しできる様にすること。【構成】長い挟み片１と短かい挟み片２とが互いに向き合って回動中心軸４を中心に回動自在にえられ、各々の挟み片１，２がバネ５により接触し合う様に構成して各々の挟み部３，３′間に靴下を挟む構造とする。長い挟み片１に開き部材６を回動中心軸７を中心に回動自在に備える。【選択図】図１
2007330753.tif 000002
【特許請求の範囲】
【請求項１】
長い挟み片と短かい挟み片とが互いに向い合って回動中心軸を中心に回動自在に備えられ、各々の挟み片の挟み部がバネにより接触し合う様に構成して各々の挟み部間に靴下を挟む構造であり、前記長い挟み片に開き部材を回動中心軸を中心に回動自在に備え、かくして前記挟み部間に挟んだ靴下を前記開き部材を開かせる事によって開き干しする靴下の開き干し器。
【発明の詳細な説明】
【発明の詳細な説明】
【産業上の利用分野】
【０００１】  本発明は靴下の乾きを良くする開き干し器に関するものである。
【背景技術】
【０００２】  一般に靴下の乾きを良くする為には開き干しを行なうが、先ず靴下に手を突込んで中を筒状に拡げ、これを２個の洗濯バサミで開く様に吊り下げる必要がある。この様にかなり面倒であり、靴下１つに付き２個の洗濯バサミを使う為、余り沢山干せないなどの欠点があった。
【発明が解決しようとする問題点】
【０００３】  本発明の目的は、先ず靴下の乾きを良くする事であり、靴下を簡単に開き干しできる様にする事である。
【問題点を解決する為の手段】
【０００４】  本発明は上記目的を達成する為、長い挟み片と短かい挟み片とが互いに対向し合って回動中心軸を中心に回動自在に備えられ、各々の挟み片の挟み部がバネにより接触し合う様に構成して各々の挟み部間に靴下を挟む構造であり、長い挟み片に開き部材を回動中心軸を中心に回動自在に備える様にした。
【実施例】
【０００５】  図１（イ）は本発明による靴下の開き干し器の一実施例で、長い挟み片１と短かい挟み片２とが互いに向かい合って回動中心軸４を中心に回動自在に備えられ、各々の挟み片１，２の挟み部３，３′がバネ５により接触し合う様に構成され、各々の挟み片１，２の上端部を摘んで開き、挟み部３，３′に靴下を挟む構造である。長い挟み片１には開き部材６が回動中心軸７を中心に回動自在に備えられている。開き部材６は靴下を開かせる部材であり、Ａ方向から見た図１（ロ）の如く空洞部９に長い挟み片１を収納し、回動中心軸７が長い挟み片１に形成された穴に嵌り込んで回動自在に備えられている、回動中心軸７の囲りの開き部材６の部分は一定の圧力を以って長い挟み片１に接触して適度な摩擦力を与えており、開き部材６を任意の開度の位置に保たせる様になっている。１０は全体を吊り下げる紐であり、実際には図２（ハ）の如く支持枠１１に紐１０により多数吊り下げて、沢山の靴下を開き干しできる様にする。
次に使い方を説明すると、先ず開き部材６を閉じておき、靴下を長い挟み片１と開き部材６とに通して挟み部３，３′を開き、ここに靴下を挟み、次に開き部材６を開くと図２（イ）の様に自動的に靴下が筒状に開き、開き干しができる。靴下の上部は波状部８の適当なところにひっかけておく様にする。靴下を開き干しする場合、図２（ロ）の如くＢ方向に開く場合とＣ方向に開く場合とがある。
図３（イ）は開き部材６を開くとバネ１２により自動的に適当なストッパーに当るまで一定開度だけ開く様にしたものである。図３（ロ），（ハ）は四節回転機構１３（平行四辺形）により開き部材６を開く様にした本発明の他の実施例である。【０００６】  一般にズボンやスカートをハンガーに吊してしまっておいたり、タオルやおしめなどの洗濯物を干す為に吊り下げるにはクリップを使うが、２個以上のクリップを操作して吊り下げる様にしなければならない為、結構面倒である。特にズボンやスカートの場合はクリップ自体を開閉操作するには片手では無理で、両手を使う構造のものが多い為、クリップに挟む時に苦労する。又、Ｙシャツ，Ｔシャツなどの肩の付いた上着類を干す為に多数のハンガー（衣紋掛け）を一組にした構造の多連装ハンガーもあるが、これにＹシャツなどの肩の付いた洗濯物を掛ける場合はいちいちハンガーに肩の部分を通さなければならず、面倒である。その上、ボタンを掛ける必要があり、更には各ハンガー間の間隔が狭い為、掛ける操作がやりにくく、結果的に相当に面倒で、ストレスが溜まる。この様な欠点を解消するには、図４（イ）の如く挟み部１４′を有する第１の枠体１４と回動自在に備えられた可動挟み片１９を有する第２の枠体１５とを互いに対向させて備えると共に、各々の枠体１４、１５を連結部材１６によりしっかりと連結させ、かつ可動挟み片１９をバネ２３（例えば板バネ）により挟み部１４′に接近する様に回動軸２０を中心に回動自在に備える様に構成したクリップを使用するのが良い。
軸受部２２を左方から見た図を図４（ロ）に示し、可動挟み片１９を下方から見た図を図４（ハ）に示すが、回動軸２０を軸受部２２にパチンと嵌め込み、可動挟み片１９を回動自在に備える様にする。２４はバネ２３が嵌り込む小径部で、バネ２３の反撥力により可動挟み片１９は挟み部１４′に接近する様に構成される。この場合、可動挟み片１９の最小開度では先端部が挟み部１４′に接触するか又は所定の透き間がある様にしても良い。可動挟み片１９の先端部は摩擦係数の大きな摩擦部材２１を備える様に（できれば挟み部１４′にも）する事が望ましい。
可動挟み片１９は図４（ト）の如く先端部に角部があると挟んだものを取り外す時にひっかかるので、丸くカットし、更には先端部の断面に図４（チ）の如く角部があると同様な問題が生じるので、丸味を持たせる事が望ましい。１８はクリップを保持部材に取り付ける為の保持穴である。かくして衣類などを両手でピンと張って可動挟み片１９に当てて押し上げると（バネ２３の反撥力は僅かで良いので、簡単に押し上げられる），挟み部１４′と可動挟み片１９の先端部間に挟まれ、保持される様になる。この時、挟まれた衣類などは下方へ引っ張られると，ますます可動挟み片１９が食い込む様に作用するので（自己倍力機構）、バネ２３の反発力は弱いもので良い（弱いものでも重い衣類を保持できる）。次にクリップに挟んだ衣類などを取り外す場合は可動挟み片１９を開く必要があるが、回動軸２０付近に形成された突起１７に親指を当て、下方から人差し指を可動挟み片１９に当てる様にすると、容易に開く事ができる。この場合、図４（リ）の如く枠体１５，可動挟み片１９に突起２９，３０を形成して、これらを親指と人差し指とで摘んで開く事も考えられるが、クリップは高い位置にあるのが通常なので、開く操作がやりにくく、図６（ロ）の様にクリップを有する保持部材３７を多連装する場合は、前後のクリップが邪魔になってやり難い欠点がある。図４（ヘ）は可動挟み片１９を第２の枠体１５に回動自在に備えるに当り、第２の枠体１５側に回動軸２７（突起状のもの）を、可動挟み片１９側に穴２８（軸受部に相当）を形成して、可動挟み片１９を第２の枠体１５に押し付ける事によりパチンと回動軸２７を穴２８に嵌め込むものである。ところで図４（イ）のクリップでは可動挟み片１９の開度が余り大きくなると、自己倍力機構が効かなくなるので、厚い衣類になるとしっかりと保持する事は困難である。この欠点を解消するには図４（ホ）の如く、下段側に挟み部１４′との間に大きな透き間を持った可動挟み片１９ａを備え、上段側に挟み部１４′との間に接触又は小さな透き間を持った可動挟み片１９ｂを備える事が考えられる。こうすると薄い衣類は可動挟み片１９ｂで挟み、可動挟み片１９ｂの開度が大きくなって自己倍力機構の効き目が弱くなったら、可動挟み片１９ａで挟む様になるので（可動挟み片１９ａの開度が小さい為、自己倍力機構が大きく効く）、薄いものでも厚いものでも保持する事ができる。２６は突起で、挟んだ衣類などを取り外す時に可動挟み片１９ａを開くと、突起２６が可動挟み片１９ａに当って可動挟み片１９ｂを開くものである（突起２６は可動挟み片１９ａに備えても良く、必要不可欠なものでもない）。尚、図４（イ）では突起１７の代りに図４（ニ）の如く凹み部２５としても親指のひっかかり具合は良い。
次に図４のクリップの使用例を図５，６で説明する。先ず図５（イ）は図４のクリップを保持部材３１の両端部に取り付けて（保持穴１８を差し込み部材３２に差し込む）ズボン又はスカート用ハンガーとしたもので、鴨居などに取り付けた釘、ネジなどに吊り下げ部材３３の穴３４を嵌め込んで吊り下げるものである。ズボン又はスカートを両手でピンと張って可動挟み片１９を押し上げる様に開くと、挟み部１４′と可動挟み片１９の先端部間に挟まれ、保持される。この場合、ズボン又はスカートを手から離す時は、ズボン又はスカートを挟み部１４′に押し付ける様にしてから手を離すと、透き間がない状態で挟み付けが始まるので、若干下方へ移動することなくしっかりとした挟み付け、保持が可能となる。
以上によりズボン又はスカートの吊り下げが極めて簡単な操作で可能となる。保持部材３１を吊り下げる吊り下げ部材３３が図５（ロ）の如くフック３５の場合は、ズボン又はスカートを可動挟み片１９に当てて押し上げようとすると全体が持ち上ってしまう為、レバー３６によりこれを防ぐ様にする。
レバー３６はバネに抗して矢印の如く回動をさせると、フック３５を桿などに通す事ができる。この場合、レバー３６を備える代りにズボン又はスカートを親指と中指でピンと張って人差し指で矢印Ｄ，Ｄ′の部分を押し下げながら操作しても、ズボン又はスカートを挟む事ができる。
次に図６（イ）は図４のクリップを保持部材３７の両端部に取り付けて、タオルやおしめ，更にはＴシャツ，Ｙシャツなどの洗濯物用ハンガーとして使用したもので（Ｅ方向から見た図６（ロ）も参照）、保持部材３７を多数（６〜８個位）支持部材３８に取り付けた多連装としてある。
そして、少なくとも２個（３個までが良い）のフック３９により桿やロープに吊り下げる様に構成してある。Ｙシャツを例に採り使用法を説明すると、襟を下にしてＹシャツを両手でピンと張ってクリップに押し込めば、これだけで簡単にＹシャツをクリップに挟んで吊り下げる事ができる（図６（ハ）参照）。従来のハンガーの様にハンガーにＹシャツの肩部を通したり、ボタンを掛けるなどの手間が不要で、簡単で便利である。
かつその理由の為、保持部材３７間の間隔が狭くても、Ｙシャツをクリップに挟む時にやり難い事がない。クリップに押し込む時は可動挟み片１９を押し上げる訳であるが、最も端にあるクリップの場合でもハンガー全体のほぼ半分の重量が下向きに押し下げているので、Ｙシャツをクリップに押し込む事ができるのである（中央にあるクリップの場合はハンガー全体の重量が下向きに押し下げている。）。図６（ロ）において支持部材３８の中央部にフック３９を１個だけ備えた場合を考えると、Ｙシャツをクリップに挟むと必ずハンガー全体が重い方に傾き、次に挟む洗濯物がクリップに挟み難い。ハンガー全体が常に水平となる様に平均してクリップに挟んでゆけば良いが、面倒である。しかし、図６（ロ）では支持部材３８の延びる方向に２箇所で２個のクリップ３９により吊り下げているので、この様な事はなく、操作がやり易く、便利である。
尚、図４（イ）において４１は保持部材３７との干渉（当接し合うこと）を避ける一定の高さを有する小幅部（挟み部１４′における第１の枠体１４と第２の枠体１５との間の幅より小さい部分）で、これにより図６（ロ）において四節回転機構４０（平行四辺形）により各保持部材３７を折り畳んだ時に、クリップと保持部材３７とが干渉する事を防ぐ事ができる。クリップを保持部材３７に取り付ける際、図６（ニ）の如く差し込み部材４２を保持部材３７に形成された穴に差し込む構造のものでは、小幅部４１は図６（ニ）に示す通りである。この時、四節回転機構４０による折り畳みを半開状態（保持部材３７が支持部材３８に対して直角ではなく斜めの状態）にしておくと、窓越しにクリップに衣類などの洗濯物を挟む時に操作がしやすくなる。又、図４において可動挟み片１９の下側面に突起や凹部、穴を形成しておくと、開く時に人差し指のひっかかりが良くなる。
【発明の効果】
【０００７】  本発明は以上の如く開き部材６を備えたので、靴下を開き干しでき、乾きが早くなる。又、長い挟み片１と開き部材６とを靴下に通して開き部材６を開けば開き干しができる為、操作が簡単である。
【図面の簡単な説明】
【図１】  本発明による靴下の開き干し器である。
【図２】  本発明による靴下の開き干し器の使用例を示す図である。
【図３】  本発明による靴下の開き干し器である。
【図４】  クリップを示す図である。
【図５】  ズボン又はスカート用ハンガーを示す図である。
【図６】  Ｙシャツなどの肩の付いた洗濯物などのハンガーを示す図である。
【符号の説明】
１は長い挟み片，２は短い挟み片，３・３′は挟み部，４は回動中心軸，５はバネ，６は開き部材，７は回動中心軸，８は波状部，９は空洞部，１０は紐，１１は支持枠，１２はバネ，１３は四節回転機構，１４は第１の枠体，１４′は挟み部，１５は第２の枠体，１６は連結部材，１７は突起，１８は保持穴，１９・１９ａ・１９ｂは可動挟み片，２０は回動軸，２１は摩擦部材，２２は軸受部，２３はバネ，２４は小径部，２５は凹み部，２６は突起，２７は回動軸，２８は穴，２９・３０は突起，３１は保持部材，３２は差し込み部材，３３は吊り下げ部材，３４は穴，３５・３９はフック，３６はレバー，３７は保持部材，３８は支持部材，４０は四節回転機構，４１は小幅部，４２は差し込み部材である。
【図１】
2007330753.tif 000003
【図２】
2007330753.tif 000004
【図３】
2007330753.tif 000005
【図４】
2007330753.tif 000006
【図５】
2007330753.tif 000007
【図６】
2007330753.tif 000008